(57)【要約】
【課題】  この種の素線を多数本撚り合わせて形成した中芯ストランドの周りに側ストランドを撚り合わせた複撚りロープは摺動させながら屈曲する場所で使用され屈曲疲労耐久性を求められている。
【解決手段】  複数の素線ｄ００．ｄ０１．ｄ０２．ｄ０３を撚り合わせた１本の中芯ストランドＡと、中芯ストランドの周りに複数の素線ｄ１０．ｄ１１を撚り合わせた複数の外側ストランドＢを撚り合わせた外径が１．００〜２．３０ｍｍの複撚りロープＲであって、外側ストランドはピッチを３〜８ｍｍとし、外側ストランドの間には０．０２〜０．２ｍｍの間隔を備え、締め率を４〜８％とすると共に、形付率が９０〜９５％としたもので、（１×１９Ｗ）＋（７×７）又は（１×１９Ｗ）＋（６×７）構造にすると共に、外側ストランドはピッチを３〜５ｍｍ又は５〜８ｍｍとして撚り合わせたものである。
【選択図】  図１
0003101207.tif 000002
【実用新案登録請求の範囲】
【請求項１】
複数の素線を平行撚りに撚り合わせた１本の中芯ストランドと、該中芯ストランドの周りに複数の素線を撚り合わせた７本の外側ストランドを撚り合わせた外径が１．００〜２．３０ｍｍのウォーリントン型の複撚りロープであって、前記夫々の外側ストランドはピッチを３〜８ｍｍとして撚り合わすと共に、夫々の外側ストランドの間には０．０２〜０、２ｍｍの間隔を備え、複数本の素線の夫々の外径の総和から複撚りロープの外接円の直径を除して得られる値の百分率で表される締め率を４〜８％とすると共に、複撚りロープをほぐしたときの外側ストランドのうねりの径を複撚りロープの外接円の直径を除した値の百分率で表される外側ストランドの形付率が９０〜９５％としたことを特徴とする操作用ワイヤーロープ。
【請求項２】
前記複撚りロープの構造が（１×１９Ｗ）＋（７×７）構造にすると共に、前記夫々の外側ストランドはピッチを３〜５ｍｍとして撚り合わせたことを特徴とする請求項１に記載の操作用ワイヤーロープ。
【請求項３】
前記複撚りロープの構造が（１×１９Ｗ）＋（６×７）構造にすると共に、前記夫々の外側ストランドはピッチを５〜８ｍｍとして撚り合わせたことを特徴とする請求項１に記載の操作用ワイヤーロープ。
【考案の詳細な説明】
【技術分野】
【０００１】  本考案は操作用ワイヤーロープに関するもので、各種産業用機械の動力伝達用のコントロールインナーワイヤー等に使用する操作用ワイヤーロープであって、更に詳細には、ウインドレギュレーター用のコントロールケーブル、ブレーキ用ワイヤー、ジェットスキー用のワイヤー等の種々の分野で広範囲に利用される操作用ワイヤーロープに関するものである。
【背景技術】
【０００２】  従来、この種の摺動しながら屈曲を受ける操作用ワイヤーロープは屈曲疲労耐久性が要求されており、その為に、複数本の素線を撚り合わせた中芯ストランドと、該中芯ストランドの周りに複数本の素線を撚り合わせた複数の外側ストランドを撚り合わせた複撚りロープが用いられており、一般的には複数本の素線の夫々の外径の総和から複撚りロープの外接円の直径を除して得られる値の百分率で表される締め率が２％程度で、複撚りロープをほぐしたときの外側ストランドのうねりの径を複撚りロープの外接円の直径で除した値の百分率で表される外側ストランドの形付率が９５〜１００％程度で撚られているが、形くずれが起こりやすく屈曲疲労耐久性が低く頻繁に取り替える必要があった。【０００３】  その為に、例えば、複数本の素線の各素線外径の操作用ロープの直径方向の総和である計算外径から、操作用ロープの外接円の直径である実測外径を引いた値を該計算外径で除してえられる値の百分率で表される締め率が４〜１１％であり、かつロープをほぐした時の側ストランドのうねりの径をロープの実測外径で除した値の百分率で表される側ストランドの形付率が６５〜９０％であるもの（特許文献１参照）や、素線を多数本撚り合わせて形成した芯ストランド及び側ストランドとから成り、前記芯ストランドの周りに前記側ストランドを撚り合わせ、外径を１．０〜２．５ｍｍとしたウインドレギュレーター用ワイヤーロープであって、前記側ストランドを７本乃至９本形成する一方、前記芯ストランドの素線の直径を０．１３〜０．２ｍｍとして、これらの各素線の直径をほぼ同径とし、かつ前記芯ストランドの素線の本数を前記各側ストランドの素線の本数より多くして、前記芯ストランドの外径を前記各側ストランドの外径より大径に形成したもの（特許文献２参照）や、芯ストランドが引抜加工又は圧縮加工により、式、隙間率（％）＝（１−芯ストランドの各素線の断面積の合計／芯ストランドの外接円の面積）×１００により計算される隙間率を９〜２０％にしたもの（特許文献３参照）等が開示され屈曲疲労耐久性を向上している。
【特許文献１】特許第２６６９７５４号公報（第１頁）
【特許文献２】実告平３−５１３５８号公報（第１頁）
【特許文献３】特開２００２−１０５８７８号公報（第２頁）
【考案の開示】
【考案が解決しようとする課題】
【０００４】  然し乍ら、前述の夫々開示されている、例えば、複数本の素線の各素線外径の操作用ロープの直径方向の総和である計算外径から、操作用ロープの外接円の直径である実測外径を引いた値を該計算外径で除してえられる値の百分率で表される締め率が４〜１１％であり、かつロープをほぐした時の側ストランドのうねりの径をロープの実測外径で除した値の百分率で表れる側ストランドの形付率が６５〜９０％であるものでは、形付率が６５〜９０％と小さくロープの中心方向への締まり力が強く素線に負担がかかるものであった。【０００５】  更に、素線を多数本撚り合わせて形成した芯ストランド及び側ストランドとから成り、前記芯ストランドの周りに前記側ストランドを撚り合わせ、外径を１．０〜２．５ｍｍとしたウインドレギュレーター用ワイヤーロープであって、前記側ストランドを７本乃至９本形成する一方、前記芯ストランドの素線の直径を０．１３〜０．２ｍｍとして、これらの各素線の直径をほぼ同径とし、かつ前記芯ストランドの素線の本数を前記各側ストランドの素線の本数より多くして、前記芯ストランドの外径を前記各側ストランドの外径より大径に形成したものでは、屈曲疲労耐久性は充分向上しているものとは云えなかった。【０００６】  更には、芯ストランドが引抜加工又は圧縮加工により、式、隙間率（％）＝（１−芯ストランドの各素線の断面積の合計／芯ストランドの外接円の面積）×１００により計算される隙間率を９〜２０％にしたものにおいても、同様に屈曲疲労耐久性は充分向上しているものとは云えないものであった。
【課題を解決するための手段】
【０００７】  本考案は、前述の課題に鑑み、鋭意研鑚の結果、請求項１に記載の操作用ワイヤーロープは、外径が１．００〜２．３０ｍｍのウォーリントン型の複撚りロープであって、外側ストランドはピッチを３〜８ｍｍとして撚り合わすと共に、外側ストランドの間には０．０２〜０．２ｍｍの間隔を備え、複数本の素線の夫々の外径の総和から複撚りロープの外接円の直径を除して得られる値の百分率で表される締め率を４〜８％とすると共に、複撚りロープをほぐしたときの外側ストランドのうねりの径を複撚りロープの外接円の直径を除した値の百分率で表される外側ストランドの形付率が９０〜９５％としたものである。【０００８】  更に、請求項２に記載の操作用ワイヤーロープは、請求項１に記載の操作用ワイヤーロープにおいて、複撚りロープの構造が（１×１９Ｗ）＋（７×７）構造にすると共に、外側ストランドはピッチを３〜５ｍｍとして撚り合わせたものである。【０００９】  更には、請求項３に記載の操作用ワイヤーロープは、請求項１に記載の操作用ワイヤーロープにおいて、複撚りロープの構造が（１×１９Ｗ）＋（６×７）構造にすると共に、外側ストランドはピッチを５〜８ｍｍとして撚り合わせたものである。
【考案の効果】
【００１０】  本考案の操作用ワイヤーロープは、外径が１．００〜２．３０ｍｍの複撚りロープにおいて、より好ましくは外径が１．５０〜１．６２ｍｍの（１×１９Ｗ）＋（７×７）構造、又は、（１×１９Ｗ）＋（６×７）構造の複撚りロープにおいて、外側ストランドはピッチを３〜５ｍｍ又は５〜８ｍｍとして撚り合わすと共に、夫々の外側ストランドと外側ストランドとの間には０．０２〜０．２ｍｍの間隔を備えると共に、形付率を９０〜９５％と大きくしたことによって複撚りロープの中心方向への締まり力を余り強くしないで、外側ストランドのピッチを３〜８ｍｍとしたことにより、摺動しながら屈曲を受ける場合に外側ストランド同士の素線のせり合いが無いために素線に摩擦等のダメージの残留が少なく、屈曲疲労耐久性が飛躍的に向上したものであって、画期的で実用性の高い考案である。
【考案を実施するための最良の形態】
【００１１】  本考案は操作用ワイヤーロープに関するもので、各種産業用機械の動力伝達用のコントロールインナーワイヤー等に使用する操作用ワイヤーロープであって、更に詳細には、ウインドレギュレーター用のコントロールケーブル、ブレーキ用ワイヤー、ジェットスキー用のワイヤー等の種々の分野で広範囲に利用される操作用ワイヤーロープに関するものであり、請求項１に記載の操作用ワイヤーロープは、複数の素線ｄ００．ｄ０１．ｄ０２．ｄ０３を平行撚りに撚り合わせた１本の中芯ストランドＡと、該中芯ストランドＡの周りに複数の素線ｄ１０．ｄ１１を撚り合わせた複数の外側ストランドＢを撚り合わせた外径が１．００〜２．３０ｍｍのウォーリントン型の複撚りロープＲであって、前記夫々の外側ストランドＢはピッチを３〜８ｍｍとして撚り合わすと共に、夫々の外側ストランドＢの間には０．０２〜０．２ｍｍの間隔を備え、複数本の素線ｄ００．ｄ０１．ｄ０２．ｄ０３．ｄ１０．ｄ１１の夫々の外径の総和から複撚りロープＲの外接円の直径を除して得られる値の百分率で表される締め率を４〜８％とすると共に、複撚りロープＲをほぐしたときの外側ストランドＢのうねりの径を複撚りロープＲの外接円の直径を除した値の百分率で表される外側ストランドＢの形付率が９０〜９５％としたものである。【００１２】  更に、請求項２に記載の操作用ワイヤーロープは、請求項１に記載の操作用ワイヤーロープにおいて、前記複撚りロープＲの構造が（１×１９Ｗ）＋（７×７）構造にすると共に、前記夫々の外側ストランドＢはピッチを３〜５ｍｍとして撚り合わせたものである。【００１３】  更に、請求項３に記載の操作用ワイヤーロープは、請求項１に記載の操作用ワイヤーロープにおいて、前記複撚りロープＲの構造が（１×１９Ｗ）＋（６×７）構造にすると共に、前記夫々の外側ストランドＢはピッチを５〜８ｍｍとして撚り合わせたものである。
【実施例】
【００１４】  以下、本考案の操作用ワイヤーロープの実施の形態を図面によって具体的に説明するものであり、図１は本考案の操作用ワイヤーロープの実施例１を説明するための断面図であり、図２は本考案の操作用ワイヤーロープの実施例１の実施の形態を表す表であり、図３は本考案の操作用ワイヤーロープの実施例２を説明するための断面図であり、図４は本考案の操作用ワイヤーロープの実施例２の実施の形態を表す表である。【００１５】  即ち、本考案の操作用ワイヤーロープの実施例１は、図１及び図２に図示する如く、（１×１９Ｗ）＋（７×７）構造と称され、平行撚りにしてなる１本の中芯ストランドＡの外周に７本の外側ストランドＢを撚り合わせたウォーリントン型の複撚りロープＲで、外径が１．５０〜１．６２ｍｍに形成されているものである。【００１６】  そして、中芯ストランドＡは４種類１９本の素線ｄ００．ｄ０１．ｄ０２．ｄ０３で平行撚りに構成されており、中芯ストランド中芯素線ｄ００の素線径は０．１５０ｍｍであり、その中芯ストランド中芯素線ｄ００の外側に夫々素線径が０．１４０ｍｍの６本の中芯ストランド内側素線ｄ０１をＺ方向に撚っているものであり、更に、該中芯ストランド内側素線ｄ０１の外側に径の相違する２種類の素線径（太）０．１５０ｍｍの中芯ストランド外側素線ｄ０２と素線径（細）０．１２０ｍｍの中芯ストランド外側素線ｄ０３を交互に、つまり、中芯ストランド内側素線ｄ０１より成る第１層の凹部に素線径（太）の中芯ストランド外側素線ｄ０２を、又、第１層の凸部に素線径（細）の中芯ストランド外側素線ｄ０３を６本宛配してＺ方向に撚っているもので、中芯ストランドＡの外径は０．６７ｍｍ前後と成るものである。【００１７】  次に、外側ストランドＢは２種類７本の素線ｄ１０．ｄ１１で構成されており、外側ストランド中芯素線ｄ１０の素線径は０．１６５ｍｍであり、その外側ストランド中芯素線ｄ１０の外側に素線径が０．１５５ｍｍの６本の外側ストランド外側素線ｄ１１をＳ方向に３〜５ｍｍのピッチで撚っているもので、外側ストランドＢの外径は０．４７５ｍｍ前後と成るものである。【００１８】  次いで、平行撚りしてなる中芯ストランドＡを中心にして外周に接するように７本の外側ストランドＢを１２ｍｍのピッチでＺ方向に撚って、（１×１９Ｗ）＋（６×７）構造のウォーリントン型の複撚りロープＲの外径は１．５０〜１．６２ｍｍと成るものであり、夫々の外側ストランドＢと外側ストランドＢとの間には０．０２〜０．２ｍｍの間隔を備えて撚り合わすと共に、後述する締め率を４〜８％とし、更に、後述する形付率を９０〜９５％として撚り合わせるものである。【００１９】  更に、締め率は夫々の素線ｄ００．ｄ０１．ｄ０２．ｄ０３．ｄ１０．ｄ１１の夫々の外径の総和から複撚りロープＲの外接円の直径を除して得られる値の百分率で表されるもので、つまり、｛（中芯ストランド中芯素線ｄ００の素線径＋２×中芯ストランド内側素線ｄ０１の素線径＋中芯ストランド外側素線ｄ０２の素線径（太）＋中芯ストランド外側素線ｄ０３の素線径（細））＋２（外側ストランド中芯素線ｄ１０の素線径＋外側ストランド外側素線ｄ１１の素線径）｝−複撚りロープＲの外径／｛（中芯��トランド中芯素線ｄ００の素線径＋２×中芯ストランド内側素線ｄ０１の素線径＋中芯ストランド外側素線ｄ０２の素線径（太）＋中芯ストランド外側素線ｄ０３の素線径（細））＋２（外側ストランド中芯素線ｄ１０の素線径＋外側ストランド外側素線ｄ１１の素線径）｝に１００％を乗じて百分率で表したもので、締め率を４〜８％としたものある。【００２０】  更には、形付率は外側ストランドＢの複撚りロープＲをほぐしたときのうねりの径を複撚りロープＲの外接円の直径を除した値の百分率で表したもので、形付率を９０〜９５％としたものである。【００２１】  そして、本考案の操作用ワイヤーロープの実施例２は、図３及び図４に図示する如く、（１×１９Ｗ）＋（６×７）構造と称されるウォーリントン型の複撚りロープＲで、１本の平行撚りしてなる中芯ストランドＡの外周に６本の外側ストランドＢを撚り合わせたもので、外径は実施例１と同様に１．５０〜１．６２ｍｍに形成されているものである。【００２２】  そして、中芯ストランドＡは実施例１と同様に１９本の素線ｄ００．ｄ０１．ｄ０２．ｄ０３で構成されており、中芯ストランド中芯素線ｄ００の素線径は０．１４０ｍｍであり、その中芯ストランド中芯素線ｄ００の外側に夫々素線径が０．１３０ｍｍの６本の中芯ストランド内側素線ｄ０１をＺ方向に撚っているものであり、更に、該中芯ストランド内側素線ｄ０１の外側に径の相違する２種類の素線径（太）０．１３０ｍｍの中芯ストランド外側素線ｄ０２と素線径（細）０．１００ｍｍの中芯ストランド外側素線ｄ０３を交互に６本宛配して２方向に撚っているもので、中芯ストランドＡの外径は０．６０ｍｍ前後と成るものである。【００２３】  次に、外側ストランドＢは７本の素線ｄ１０．ｄ１１で構成されており、外側ストランド中芯素線ｄ１０の素線径は０．１７０ｍｍであり、その外側ストランド中芯素線ｄ１０の外側に素線径が０．１６０ｍｍの６本の外側ストランド外側素線ｄ１１をＳ方向に５〜８ｍｍのピッチで撚っているもので、外側ストランドＢの外径は０．４９０ｍｍ前後と成るものである。【００２４】  次いで、平行撚りしてなる中芯ストランドＡを中心にして外周に接するように６本の外側ストランドＢを１１．５０ｍｍのピッチでＺ方向に撚って、（１×１９Ｗ）＋（６×７）構造のウォーリントン型の複撚りロープＲの外径は１．５０〜１．６２ｍｍと成るものであり、夫々の外側ストランドＢと外側ストランドＢとの間には０．０２〜０．２ｍｍの間隔を備えて撚り合わすと共に、締め率を４〜８％とし、更に、形付率を９０〜９５％として撚り合わせるものである。【００２５】  更には、締め率と形付率とは実施例１と同様であるので詳述は省略するものである。【００２６】  次いで、本考案の操作用ワイヤーロープの耐久試験を実施した結果、飛躍的な屈曲疲労耐久性を示したものであり、直径が４０ｍｍφでＰＯＭ製の固定プーリーによる耐久試験機を使用したもので、実施例１では試作１〜２と試行錯誤の結果、試作３を得たもので８万回以上の耐久性能を達成し、実施例２では試作１〜２と試行錯誤の結果、試作３を得たもので６万回以上の耐久性能を達成したものである。【００２７】
【表１】
0003101207.tif 000003
【００２８】
【表２】
0003101207.tif 000004
【産業上の利用可能性】
【００２９】  本考案の操作用ワイヤーロープは、各種産業用機械の動力伝達用コントロールインナーワイヤー、自動車用ウインドレギュレーター用のコントロールケーブル、自転車のブレーキ用ワイヤ、ジェットスキー用のワイヤ等の摺動しながら屈曲を受ける分野で使用されて好適なものである。
【図面の簡単な説明】
【００３０】
【図１】  図１は本考案の操作用ワイヤーロープの実施例１を説明するための断面図である。
【図２】  図２は本考案の操作用ワイヤーロープの実施例１の実施の形態を表す表である。
【図３】  図３は本考案の操作用ワイヤーロープの実施例２を説明するための断面図である。
【図４】  図４は本考案の操作用ワイヤーロープの実施例２の実施の形態を表す表である。
【符号の説明】
【００３１】Ｒ      複撚りロープ
Ａ      中芯ストランド
ｄ００  中芯ストランド中芯素線
ｄ０１  中芯ストランド内側素線
ｄ０２  中芯ストランド外側素線（太）
ｄ０３  中芯ストランド外側素線（細）
Ｂ      外側ストランド
ｄ１０  外側ストランド中芯素線
ｄ１１  外側ストランド外側素線
【図１】
0003101207.tif 000005
【図２】
0003101207.tif 000006
【図３】
0003101207.tif 000007
【図４】
0003101207.tif 000008